(57)【要約】【課題】  支持脚を使用して回動ユニットの回動姿勢を支持するようにした電子機器に対し、プリント機構からの画像形成物質（インクやトナー）が外部に放出されてしまうことを防止できる構成を提供する。【解決手段】  支持脚を使用して表示ユニットの回動姿勢を支持すると共に、インクジェット方式のプリント機構９を備えたファクシミリ装置１に対し、縦隔壁７１の屈曲部７３によってプリント機構９を収容する空間と脚部収容空間Ａとを水平方向で隔離する。これにより、プリント機構９からインク飛沫が飛散した場合であっても、この飛沫が脚部収容空間Ａに入り込み開口７４を経て装置外部に流れ出てしまうことを阻止できる。【選択図】      図１０
2006110906.tif 000002
【特許請求の範囲】
【請求項１】
機器ケーシングと、この機器ケーシング内部に収容され且つ記録媒体に対して印刷を行うプリント機構と、上記機器ケーシングに対して回動自在に支持された回動ユニットとを備えていると共に、この回動ユニットの回動姿勢を支持するための支持脚を備えた電子機器において、
上記機器ケーシングの外面には、支持脚を機器ケーシング内部に収容するために支持脚が挿通する開口が形成されており、
上記機器ケーシング内部における上記プリント機構が収容される空間と、上記開口が臨む機器ケーシング内部空間とを隔離する隔壁部材が設けられていることを特徴とする電子機器。
【請求項２】
上記請求項１記載の電子機器において、
機器ケーシングの内部には制御回路基板が収容されており、
隔壁部材は、プリント機構が収容される空間と上記制御回路基板が収容される空間とを隔離すると共に、支持脚が挿通する開口が臨む機器ケーシング内部空間と制御回路基板が収容される空間とを隔離する構成となっていることを特徴とする電子機器。
【請求項３】
上記請求項１または２記載の電子機器において、
支持脚が挿通する開口の近傍には、支持脚を挟持することによってこの支持脚の移動に抵抗を与えて回動ユニットの回動姿勢を維持する支持脚挟持機構が配設されていることを特徴とする電子機器。
【請求項４】
上記請求項１、２または３記載の電子機器において、
回動ユニットは、機器ケーシング表面における一方の端縁近傍位置に配設されており、
支持脚は、回動ユニットの背面のうち回動外周側端近傍位置であって且つ上記一方の端縁近傍位置に設けられていることを特徴とする電子機器。
【発明の詳細な説明】
【技術分野】
【０００１】
本発明は、回動自在に支持された表示ユニットなどの回動ユニットを備えた電子機器に係る。特に、本発明は、回動ユニットの回動姿勢を安定的に支持する支持脚を備えたものの改良に関する。
【背景技術】
【０００２】
従来より、例えばファクシミリ装置、電話機、ノート型パーソナルコンピュータ等といった電子機器としては、起伏可能な表示ユニットを備え、この表示ユニットを必要に応じて起こして（チルトアップさせて）使用するようにしたものが知られている（例えば下記の特許文献１）。特に、近年では、情報技術（ＩＴ）の発達により表示ユニットが表示する内容の多様化が進んでいること、及びＬＣＤ（液晶表示装置）製造技術の発達によって液晶表示パネル（以下、ＬＣＤパネルという）の大型化が進んでいることから、上記表示ユニットとして大型のＬＣＤパネルを使用したものが採用されるようになってきている。
【０００３】
一般に、この種の表示ユニットは、その回動機構を構成するヒンジ部分の摺動面に摩擦弾性材を適用して回動抵抗を与え、これによって任意のチルトアップ位置でその姿勢が維持できるようにしている。ところが、上述したように表示ユニットが大型化しその重量が大きくなると、チルトアップ姿勢を安定的に維持するための特別な機構が必要になってくる。
【０００４】
そこで、特許文献１に開示されている電子機器では、表示ユニットの背面側に支持脚（ディスク部材）を一体的に形成しておき、機器ケーシング内部に固定した摩擦弾性材によってこの支持脚を挟み込んで回動抵抗を与え、これによって任意のチルトアップ位置でその姿勢が維持できるようにしている。
【０００５】
尚、このように機器ケーシングに対して回動する部材、つまり回動ユニットとしては、上記表示ユニットに限らず、各種の操作キーを備えた操作ユニットである場合もある。
【特許文献１】特開２００２−１００８８３号公報
【発明の開示】
【発明が解決しようとする課題】
【０００６】
ところで、上記特許文献１に開示されている電子機器のように支持脚によって表示ユニットのチルトアップ姿勢を支持する構成とした場合、この表示ユニットの格納状態（チルトアップさせない状態）では、支持脚を機器ケーシング内部に収容する必要がある。このため、機器ケーシングの表面には、この機器ケーシングの内部に向けて支持脚を挿通するための開口が形成されている。
【０００７】
一方、この種の電子機器にあっては、記録用紙に対して印刷を行うためのプリント機構が搭載されている場合が多く、このプリント機構としては、インクジェット方式のものや電子写真方式のものが採用されることがある。このため、インクジェット方式ではインク飛沫が、電子写真方式ではトナー粉末が機器ケーシングの内部空間に飛散しこの空間を浮遊する可能性がある。そして、上述の如く機器ケーシングの表面に支持脚挿通用の開口が形成されている場合、この浮遊しているインク飛沫やトナー粉末がこの開口から機器外部に放出されてしまい、電子機器の周辺を汚してしまう可能性があった。このような不具合について上記特許文献１では何ら考慮されていない。
【０００８】
本発明は、かかる点に鑑みてなされたものであり、その目的とするところは、支持脚を使用して回動ユニットの回動姿勢を支持するようにした電子機器に対し、プリント機構からの画像形成物質（インクやトナー）が外部に放出されてしまうことを防止できる構成を提供することにある。
【課題を解決するための手段】
【０００９】
上記の目的を達成するために講じられた本発明の解決手段は、機器ケーシングと、この機器ケーシング内部に収容され且つ記録媒体に対して印刷を行うプリント機構と、上記機器ケーシングに対して回動自在に支持された回動ユニットとを備えていると共に、この回動ユニットの回動姿勢を支持するための支持脚を備えた電子機器を前提とする。この電子機器に対し、上記機器ケーシングの外面に、支持脚を機器ケーシング内部に収容するために支持脚が挿通する開口を形成しておき、上記機器ケーシング内部における上記プリント機構が収容される空間と、上記開口が臨む機器ケーシング内部空間とを隔離する隔壁部材を設けている。
【００１０】
この特定事項により、回動ユニットの格納状態（チルトアップさせない状態）では、支持脚は、機器ケーシングに形成されている開口を通過して機器ケーシング内部に収容されている。この状態から回動ユニットを回動させると、その回動量に応じて支持脚が機器ケーシングの開口から引き出され、所定の回動位置において回動ユニットの回動姿勢が支持脚によって支持される。一方、記録媒体に対して印刷を行う際には、機器ケーシング内部に収容されているプリント機構が駆動して記録媒体表面への印刷が実行される。そして、この印刷動作時等にあっては、インク飛沫（インクジェット方式の場合）やトナー粉末（電子写真方式の場合）といった画像形成物質が機器ケーシングの内部空間に飛散しこの空間を浮遊する可能性があるが、本発明では、プリント機構が収容される空間と、上記開口が臨む機器ケーシング内部空間とは隔壁部材によって隔離されているため、この浮遊する画像形成物質が上記開口まで流れ出ることはなく、これによって画像形成物質が開口から電子機器外部に放出されてしまうといった不具合を招くことはない。
【００１１】
上記隔壁部材のより具体的な構成としては以下のものが掲げられる。つまり、機器ケーシングの内部には制御回路基板が収容されており、隔壁部材が、プリント機構が収容される空間と上記制御回路基板が収容される空間とを隔離すると共に、支持脚が挿通する開口が臨む機器ケーシング内部空間と制御回路基板が収容される空間とを隔離する構成としている。
【００１２】
この特定事項によれば、上記開口が臨む機器ケーシング内部空間、つまり支持脚の収容空間は、プリント機構が収容される空間から隔離されているばかりでなく、制御回路基板が収容される空間からも隔離されていることになる。このため、回動ユニットの回動に伴う支持脚の移動時に、この支持脚が制御回路基板に接触してしまうといった不具合を招くことがなくなり、制御動作の信頼性を確保できる。また、プリント機構が収容される空間と制御回路基板が収容される空間とも隔離されているため、印刷動作時等において画像形成物質が制御回路基板に付着してしまうことも回避でき、これによっても制御動作の信頼性を確保できる。
【００１３】
上記支持脚によって回動ユニットの回動姿勢の支持状態を安定的に得るための具体構成としては以下のものが掲げられる。つまり、支持脚が挿通する開口の近傍に、支持脚を挟持することによってこの支持脚の移動に抵抗を与えて回動ユニットの回動姿勢を維持する支持脚挟持機構を配設している。
【００１４】
上記支持脚の配設位置として具体的には以下のものが掲げられる。先ず、回動ユニットを、機器ケーシング表面における一方の端縁近傍位置に配設する。そして、支持脚を、回動ユニットの背面のうち回動外周側端近傍位置であって且つ上記一方の端縁近傍位置に設けている。
【００１５】
これによれば、開口（支持脚挿通用の開口）を、機器ケーシング表面における一方の端縁近傍位置のみに形成すればよいことになる。このため、この支持脚を収容するための空間も機器ケーシングの一方側端付近にのみ形成すればよいことになり、機器ケーシングの内部スペースの有効利用を図ることが可能になる。例えば、上記プリント機構の収容スペースを比較的大きく確保することが可能になる。
【発明の効果】
【００１６】
本発明では、プリント機構を備えていると共に支持脚を使用して回動ユニットの回動姿勢を支持するようにした電子機器に対し、プリント機構が収容される空間と、機器ケーシングに形成された支持脚挿通用の開口が臨む機器ケーシング内部空間とを隔壁部材によって隔離している。このため、プリント機構からインク飛沫等の画像形成物質が飛散した場合であっても、この画像形成物質が支持脚挿通用の開口を経て機器外部に流れ出てしまうといったことを阻止でき、電子機器の周辺が画像形成物質によって汚れてしまうといった不具合を解消できる。
【発明を実施するための最良の形態】
【００１７】
以下、本発明の実施形態を図面に基づいて説明する。本実施形態では、ファクシミリ装置（本発明でいう電子機器）に対して本発明を適用した場合について説明する。
【００１８】
−ファクシミリ装置の概略構成−
図１及び図２は、本実施形態に係るファクシミリ装置１の外観を示す斜視図である。図１は回動ユニットとしての表示ユニット２の格納状態を示し、図２は表示ユニット２の最大チルトアップ状態を示している。
【００１９】
これら図に示すように、本形態に係るファクシミリ装置１は、上面の右奥側に表示ユニット２が設けられ、その手前側（ユーザ側）にキー操作部３が設けられている。つまり、装置上面の右側部分にユーザインタフェースを集中させてユーザの操作性を良好にしている。また、このファクシミリ装置１の上部の中央部から左側に亘る部分は、ファクシミリ送信時等に原稿画像の読み込みを行うためのスキャナ部４として構成されている。
【００２０】
更に、このファクシミリ装置１の前面（手前側の縦面）には、記録用紙（記録媒体）をセットするための給紙開口５が形成されており、この給紙開口５にセットされた図示しない複数枚の記録用紙が上側から１枚ずつファクシミリ装置１内に搬送され、このファクシミリ装置１内に収容されている後述するプリント機構（プリンタエンジン）によって所定の画像（ファクシミリ受信した画像や上記スキャナ部４で読み込んだ画像）が印刷されるようになっている。つまり、このプリント機構によって印刷される記録用紙は、ファクシミリ装置１の内部で反転され、所定の印刷動作が行われた後に、上記給紙開口５から排出されることになる。また、本実施形態に係るファクシミリ装置１は、プリント機構としてインクジェット方式のものが搭載されている。また、他の方式（例えば電子写真方式）のプリント機構を搭載するようにしてもよい。
【００２１】
以下、ファクシミリ装置１の各部について詳細に説明する。
【００２２】
−表示ユニット２−
上記表示ユニット２は、横寸法よりも縦寸法の方が長く設定された所謂縦型表示パネルとして構成されている。詳しくは、この表示ユニット２は、樹脂製のユニットケーシング２０の内部に、横縦比（横寸法と縦寸法との比）が３：４とされた縦長のＬＣＤパネル２１が収容された構成となっていると共に、ファクシミリ装置１の上面に対して起伏自在（チルトアップ自在）となるよう回動自在に支持されている（図２参照）。尚、このＬＣＤパネル２１の横寸法と縦寸法との比は３：４以上（例えば２：３や１：２等）であってもよい。
【００２３】
また、図４（表示ユニット２及びキー操作部３を側方から見た断面図）に示すように、この表示ユニット２のユニットケーシング２０の前端面２Ａ（格納状態においてキー操作部３側に向いている面）は、この格納状態において、装置表面側（上側）に向かってキー操作部３側に向けて僅かに湾曲する湾曲面として形成されている。また、装置ケーシング（機器ケーシング）１１の上面には、表示ユニット２を格納状態とする際にこの表示ユニット２を収容するための凹部１２が形成されているが、この凹部１２の前端側の縦壁１２ａも、装置表面側（上側）に向かってキー操作部３側に向けて僅かに湾曲する湾曲面として形成されている。これにより、表示ユニット２の格納状態では、表示ユニット２の前側の隙間（表示ユニット２の前端面２Ａと凹部１２の縦壁１２ａとの間の隙間）が外見上殆ど見えることがなく、装置の外観を良好にしている。
【００２４】
尚、表示ユニット２の具体的な外形寸法（上記ユニットケーシング２０の寸法）としては、横寸法が約９６ｍｍ、縦寸法が約１３４ｍｍ、厚さ寸法が約２０ｍｍに設定されている。このように、表示ユニット２は表面視が所謂縦型のものとして構成されている。また、上記凹部１２の深さ寸法は上記表示ユニット２の厚さ寸法に略一致しており、この表示ユニット２の格納状態では、装置ケーシング１１の上面と表示ユニット２の上面とが略面一となり、この格納状態でのファクシミリ装置１の見映えの向上を図っている。尚、この表示ユニット２の支持構造の詳細については後述する。
【００２５】
また、上記ＬＣＤパネル２１は、図示しないクリアカバー、ＬＣＤモジュール、ＬＣＤホルダ、拡散シート、バックライトＬＥＤ等を備えた従来から周知の構成となっている。また、このＬＣＤパネル２１に表示される情報としては、現在のファクシミリ装置１の動作状態（「スキャニング中」や「ファクシミリ送信中」等といった表示）、通信時の相手側ファクシミリ番号、受信したファクシミリ画像などが掲げられる。尚、表示情報はこれらに限られるものではない。
【００２６】
−キー操作部３−
上記キー操作部３には、テンキーの他、モード選択キー、キャンセルキー等の種々のキーが備えられている。このキー操作部３は、図４に示すように、キートップ３１及びゴムキー３２を備えている。そして、このゴムキー３２の下側の装置ケーシング１１内部にはキー操作部用制御回路基板６１が配設されている。このキー操作部用制御回路基板６１は、装置ケーシング１１の上面と平行な略水平状態に配置されており、図３（表示ユニット２の格納状態におけるユーザインタフェース部分の平面図）に破線で示すように、キー操作部３の形成領域に略等しい平面視略矩形状に形成されている。そして、このキー操作部用制御回路基板６１の上面に上記ゴムキー３２が当接するようになっている。このため、ユーザがキートップ３１を押し込んだ際、ゴムキー３２の下面とキー操作部用制御回路基板６１の上面に印刷されたカーボンパターンとがショートし、スイッチがＯＮ状態となり、図示しないＣＰＵに所定の指令信号（キー操作に伴う指令信号）が送信されるようになっている。
【００２７】
また、キー操作部３に配置されている各キーのうち最も奥側（表示ユニット２に最も近い側）に配置されているものは、上記装置ケーシング１１の上面に形成されている上記凹部１２の前端縁との間に所定寸法（図３における寸法ｔ）を存している。これは、後述する表示ユニット２の支持機構では、表示ユニット２をチルトアップさせた際にその下端がキー操作部３側に向けて前進する（せり出す）ことになり（図５（表示ユニット２をチルトアップさせた状態での平面図）参照）、この状態で表示ユニット２の下端がキーを覆い隠してしまうことがないようにするためである。この場合、表示ユニット２の下端に近いキー操作部３のハードキー３３の一部（表示部に近いキー）と、表示ユニット２の下端に表示されるソフトキー（ＧＵＩとして表示される機能キー）とを対応させるようにした場合、関係するソフトキーとハードキーとの距離が短くなり、その関連性等を視認しやすくなる。つまり、ユーザにとっては、ソフトキーに対応するハードキーとの対応関係を理解しやすく、操作を必要とするキーを明確にできる。
【００２８】
−スキャナ部４−
上記スキャナ部４は、透明なガラス等で成る図示しない原稿載置台上に載置された原稿の画像を読み取って画像データを作成する部分であり、図示しない露光光源や結像レンズや光電変換素子（ＣＣＤ：Charge Coupled Device）等を備えている。また、上記原稿載置台上には、ファクシミリ装置１の奥側端において水平方向に延びる回動軸によって回動自在に支持されたカバー４１が備えられており、このカバー４１の閉鎖（図１及び図２ではこのカバー４１が閉鎖された状態を示している）によって、原稿載置台上に載置された原稿を原稿載置台に押さえ付けるようになっている。
【００２９】
−表示ユニット２の支持機構−
次に、上記表示ユニット２を回動自在に支持するための支持機構について説明する。図３は表示ユニット２の格納状態における装置右側部分（ユーザインタフェース部分）の平面図、図４は表示ユニット２の格納状態における表示ユニット２及びキー操作部３を側方から見た断面図（図３におけるＩＶ−ＩＶ線に沿った断面図）である。また、図５は表示ユニット２の最大チルトアップ状態における装置右側部分（ユーザインタフェース部分）の平面図、図６は表示ユニット２の最大チルトアップ状態における表示ユニット２及びキー操作部３を側方から見た断面図（図５におけるＶＩ−ＶＩ線に沿った断面図）である。更に、図７は、表示ユニット２を示す図であり、図７（ａ）は正面図、図７（ｂ）は側面図である。尚、以下の説明では、表示ユニット２を格納した状態でのユーザ側（装置手前側）を前方と呼び、反ユーザ側（装置奥側）を後方と呼ぶ、従って、表示ユニット２の格納状態においてキー操作部３側に向いている面が前面または前端面であり、装置奥側に向いている面が後面または後端面であるとする。尚、ＬＣＤパネル２１の表示面は上面または表示面と呼び、反表示面側（格納状態での下面）は下面または背面と呼ぶこととする。
【００３０】
上記図４、図６及び図７に示すように、表示ユニット２の前端面２Ａには、この前端面２Ａの下部から前方へ延びる左右一対のアーム２２，２２が一体形成されている。このアーム２２の形状としては、図７（ｂ）に示すように、表示ユニット２が水平方向に延びる状態とした場合、つまり、表示ユニット２を格納状態とした場合において、表示ユニット２の前端面２Ａの下部から水平方向に延びる第１水平部２２ａと、この第１水平部２２ａの前端から斜め上方に延びる傾斜部２２ｂと、この傾斜部２２ｂの前端から更に水平方向に延びる第２水平部２２ｃとを備えている。そして、この第２水平部２２ｃの前端部分の側面（相手側のアーム２２の第２水平部２２ｃに対向する面）には略円柱形状の回動軸部材２２ｄが一体形成されている。
【００３１】
そして、上述したように表示ユニット２の横寸法（図７（ａ）における寸法Ｘ）は約９６ｍｍであるのに対し、表示ユニット２の後端面（本発明でいう回動外周側端）２Ｃからアーム２２の回動軸部材２２ｄの中心までの寸法（図７（ａ）における寸法Ｙ）は１６２ｍｍに設定されている。つまり、上記寸法Ｘと、寸法Ｙとの比が３：４以上（本実施形態では約３：５）に設定されている。
【００３２】
このように、本実施形態に係るファクシミリ装置１では、表示ユニット２の横寸法（図７（ａ）における寸法Ｘ）と、表示ユニット２の後端面２Ｃからアーム２２の回動軸部材２２ｄの中心までの寸法（図７（ａ）における寸法Ｙ）との比を３：４以上に設定しているため、この表示ユニット２の回動中心と表示ユニット２の後端面２Ｃ（チルトアップさせた際の上面）との距離を長くすることができる。これにより、表示ユニット２の後端面２Ｃの回動方向移動距離に対するヒンジ機構の回動角度を比較的小さくすることができ、回動ユニットのチルトアップに要する力を小さくすることができる。そのため、ユーザがチルトアップ角度を調整する際の微調整も容易になる。
【００３３】
この表示ユニット２は、各アーム２２，２２の先端に形成された回動軸部材２２ｄ，２２ｄを回動中心として回動するように、ヒンジベース１３，１３（このヒンジベースが支持機構を構成している）によって回動自在に支持されている（図４及び図６参照）。このヒンジベース１３，１３は、上記各アーム２２，２２の回動軸部材２２ｄ，２２ｄに対応した左右一対が本ファクシミリ装置１の装置ケーシング１１に一体的に形成されており、その中央部に、上記回動軸部材２２ｄを嵌め込むための開口が形成されている。つまり、一方のアーム２２の回動軸部材２２ｄが一方のヒンジベース１３の開口に嵌め込まれて支持され、他方のアーム２２の回動軸部材２２ｄが他方のヒンジベース１３の開口に嵌め込まれて支持されて、これら支持部分を回動中心として、表示ユニット２が装置ケーシング１１に対して回動自在に支持されている。
【００３４】
そして、図４及び図６に示すように、上記キー操作部用制御回路基板６１はキー操作部３に近接して配置されており、上記ヒンジベース１３はキー操作部用制御回路基板６１の下側（裏側）に配設されている。つまり、各アーム２２，２２の回動軸部材２２ｄ，２２ｄが、キー操作部用制御回路基板６１の下側にそれぞれ配設されているヒンジベース１３，１３によって回動自在に支持されていて、表示ユニット２の回動中心が、キー操作部用制御回路基板６１の配設位置よりもファクシミリ装置１の底部側に設定された構成となっている。
【００３５】
より詳しくは、上記表示ユニット２を格納状態とする際にこの表示ユニット２を収容するための上記凹部１２の前端側の縦壁１２ａには、上記各アーム２２，２２を挿通するための開口１２ｂが形成されている。また、この開口１２ｂは、表示ユニット２の格納状態（図４の状態）から最大チルトアップ状態（図６の状態）までのアーム２２，２２の移動を許容するように（アーム２２，２２に干渉しないように）、比較的大きな開口として形成されている。そして、表示ユニット２が最大チルトアップ状態となった際の傾斜角度は水平面に対して例えば３２．５°に設定されており、装置ケーシング１１の内部には、表示ユニット２がこの位置までチルトアップした際に上記アーム２２の第１水平部２２ａが当接するストッパ１４が設けられている。また、この位置では、アーム２２の第１水平部２２ａは上記開口１２ｂの上端縁にも当接することになり、これによってもそれ以上の回動が阻止されるようになっている。上述の如く最大チルトアップ角度が設定されていることにより、この最大チルトアップ状態にあっては、装置ケーシング１１の上面からの表示ユニット２の高さ寸法は約７２ｍｍとなる。尚、最大チルトアップ角度は上述したものに限らず、ユーザの視認性が良好に確保できる角度までの回動が可能となるように設定される。
【００３６】
尚、表示ユニット２の回動位置とアーム２２の各部２２ａ，２２ｂ，２２ｃとの関係について説明すると、表示ユニット２が格納状態にある際には、図４に示すように上記第１水平部２２ａが水平状態となり、この第１水平部２２ａの下端縁よりも下方にアーム２２が突出することがない。このため、ヒンジ機構部分の直下方に他の部品を配置するといったレイアウトが可能であり、装置ケーシング１１内のスペースの有効利用が図れるようになっている。一方、表示ユニット２が最大チルトアップ状態にある際には、図６に示すように上記傾斜部２２ｂが水平状態となってキー操作部用制御回路基板６１の下面に極近接し且つこれと平行な状態となる。このため、傾斜部２２ｂをキー操作部用制御回路基板６１に接触させることなしに、この両者間の隙間を可能な限り狭めることができ、これによってもスペースの有効利用が図れるようになっている。これら効果を奏するための構成として、上記第１水平部２２ａと傾斜部２２ｂとが成す角度、及び傾斜部２２ｂと第２水平部２２ｃとが成す角度を、表示ユニット２の最大チルトアップ状態の傾斜角度（上記３２．５°）に一致させるようにしている。
【００３７】
一方、表示ユニット２の背面２Ｂには、この表示ユニット２がチルトアップした際にそのチルトアップ状態を維持するための支持脚としての脚部２３が一体形成されている。この脚部２３は、側面視（回動軸心方向から見た形状：図７（ｂ）参照）が略円弧形状の板材で成っており、その上端は、表示ユニット２の背面２Ｂにおいて、表示ユニット２の後端面２Ｃ近傍位置であって、且つ平面視における右側端近傍位置（装置ケーシング１１の幅方向の一方の端縁近傍位置：図７（ａ）における破線参照）に接続されている。また、この円弧形状の脚部２３の円弧中心は上記回動軸部材２２ｄの中心（チルトアップ時の回動中心）に一致している。
【００３８】
この脚部２３を利用したチルトアップ状態の維持機構は以下のとおりである。装置ケーシング１１に形成されている上記凹部１２（表示ユニット２を格納するための凹部）の底面であって上記脚部２３に対応する箇所には、この脚部２３を挿通するための脚部挿通開口１２ｃが形成されている。図８は、この脚部挿通開口１２ｃにおいて装置ケーシング１１を切断した斜視図である。この図に示すように、装置ケーシング１１には、上記脚部２３を収容するための脚部収容空間Ａが設けられており、この脚部収容空間Ａは、ファクシミリ装置１を構成する他の機器（プリント機構や制御回路基板など）から隔壁７（図１０参照）によって隔離されている。この隔壁７については後述する。
【００３９】
そして、上記脚部挿通開口１２ｃの近傍位置には、表示ユニット２をチルトアップさせた際にその姿勢を維持させるための挟持機構（本発明でいう支持脚挟持機構）８が設けられている。この挟持機構８は、表示ユニット２の背面から延びる上記脚部２３をその厚さ方向から挟持することによって上記チルトアップ状態を維持する構成となっている。
【００４０】
具体的には、図９（脚部挿通開口１２ｃ周辺の平面図）に示すように、脚部２３（図９では仮想線で示す）の一方の面に当接する固定パッド８１と、脚部２３の他方の面に当接する可動パッド８２とを備えた構成となっている。上記固定パッド８１は脚部挿通開口１２ｃの奥部において装置ケーシング１１に移動不能に固定されている。一方、可動パッド８２は、上記固定パッド８１に対向する位置に配置されていると共にパッドホルダ８３に保持されている。このパッドホルダ８３は、装置ケーシング１１に形成された図示しない開口に挿通するピン８４を備えており、このピン８４の外周部にコイルスプリング８５が装着されている。このコイルスプリング８５は上記パッドホルダ８３と装置ケーシング１１との間に縮装されており、その付勢力はパッドホルダ８３を固定パッド８１側に向けて移動させるように作用している。これによって可動パッド８２が固定パッド８１側へ押圧され、この固定パッド８１との間で脚部２３を挟持する構成となっている。このような構成により、表示ユニット２のチルトアップ角度が如何なる角度であってもそのチルトアップ状態を維持させることが可能になっている。尚、上述した如く、上記脚部２３の上端は、表示ユニット２の背面２Ｂにおいて、表示ユニット２の後端面２Ｃ近傍位置（回動半径の最も大きくなる箇所：回動外周側端近傍位置）に設定されているため、各パッド８１，８２による脚部２３の挟持力は比較的小さくても十分にチルトアップ状態を支えることが可能になっている。また、上述した如く、脚部２３の円弧中心は上記回動軸部材２２ｄの中心（チルトアップ時の回動中心）に一致しているため、チルトアップ動作時における脚部挿通開口１２ｃ内での脚部２３の通過箇所は一定個所となっている（図９における仮想線で示す箇所のみを通過する）。このため、脚部挿通開口１２ｃの開口形状としては脚部２３の断面形状よりも僅かに大きくしておけばよく、この開口面積の小型化が図れる。また、各パッド８１，８２の形状も小さくて済む。
【００４１】
次に、上記隔壁７の概略構成について図１０を用いて説明する。この図１０では、隔壁７及び後述する表示ユニット用制御回路基板６２のみを実線で示し、装置ケーシング１１の外観を仮想線で、また、プリント機構９のインクジェットヘッド９１及びカートリッジ９２を一点鎖線でそれぞれ示している。このインクジェットヘッド９１及びカートリッジ９２は、印刷動作時に左右方向（主走査方向）へ往復移動しながら記録用紙に向けてインク滴を吐出して印刷を行うものであり、この主走査方向の図中の左端がホームポジション位置であり、図中の右端がカートリッジ交換作業時の位置となっている。また、この図１０では、隔壁７の構成及びその機能を理解しやすくするためにその形状を簡略化している。
【００４２】
この図１０に示すように、隔壁７は、縦隔壁７１と横隔壁７２とを備えている。ここで、縦隔壁７１は複数の縦壁によって構成され、その主な機能は、プリント機構９と上記脚部収容空間Ａとを隔離することである。一方、横隔壁７２は水平方向に延びる横壁によって構成され、その主な機能は、プリント機構９と、上記スキャナ部４及びキー操作部用制御回路基板６１とを隔離することである。以下に詳しく説明する。
【００４３】
縦隔壁７１は、プリント機構９の左右両側及び装置奥側を囲む複数の縦壁によって構成されており、装置前方を開放している。この開放部分は上記給紙開口５に繋がっており、装置手前側からの給紙を可能にしている。また、このように縦隔壁７１の装置前方が開放されているために、装置ケーシング１１の前面パネル１１ａ（図１参照）を開放することによってプリント機構９の収容空間が前方側に開放されることになり、これによって装置前方側からのカートリッジ交換等の作業が行えるようになっている。
【００４４】
そして、この縦隔壁７１には上記脚部収容空間Ａを区画形成するための屈曲部７３が備えられている。この屈曲部７３は、上記表示ユニット２の設置部分の下側に設けられており、縦隔壁７１の右側壁７１ａの奥側（後側）端からファクシミリ装置１の幅方向中央側に僅かに延びる第１屈曲部７１ｂと、この第１屈曲部７１ｂの先端から装置奥側に延びる第２屈曲部７１ｃとを備えている。このような形状の屈曲部７３が備えられていることにより、この部分において、プリント機構９を収容している空間と脚部収容空間Ａとが水平方向で隔離されている。このため、プリント機構９からインク飛沫が飛散した場合に、この飛沫が脚部収容空間Ａに入り込み脚部挿通開口１２ｃを経て装置外部に流れ出てしまうといったことを阻止できる。
【００４５】
更に、縦隔壁７１における上記キー操作部３の設置部分の下側では、上記右側壁７１ａが、装置ケーシング１１の側面パネルＰとの間に所定空間を存するようにこの側面パネルＰから僅かに後退した位置にある。そして、この装置ケーシング１１の側面パネルＰと右側壁７１ａとの間の空間に、縦型に配置された表示ユニット用制御回路基板６２が収容されている。これにより、この部分において、プリント機構９と表示ユニット用制御回路基板６２とが水平方向で隔離されている。つまり、プリント機構９から飛散したインク飛沫が表示ユニット用制御回路基板６２に付着して装置の誤動作を招くといったことを阻止している。
【００４６】
また、上記縦隔壁７１の右側壁７１ａには、上記脚部収容空間Ａと表示ユニット用制御回路基板６２の収容空間とを隔離するための隔離壁７１ｄが一体的に形成されている。これにより、表示ユニット２の回動に伴う脚部２３の移動時に、この脚部２３が表示ユニット用制御回路基板６２に接触してしまうといった状況を確実に阻止でき、表示ユニット用制御回路基板６２の動作の信頼性を確保できる。
【００４７】
一方、横隔壁７２は、上記縦隔壁７１によって囲まれている空間（プリント機構９の収容空間）の上側全体を覆うように水平方向に延びており、上記縦隔壁７１に形成されている屈曲部７３の上方も覆うようになっている。つまり、上記脚部収容空間Ａの上壁として機能している。そして、上記スキャナ部４及びキー操作部用制御回路基板６１は、この縦隔壁７１の上方に配設されており、プリント機構９と、スキャナ部４及びキー操作部用制御回路基板６１とが上下方向で隔離されている。つまり、プリント機構９から飛散したインク飛沫がスキャナ部４に入り込んで画像読み込み動作に支障を招いたり、このインク飛沫がキー操作部用制御回路基板６１に付着して装置の誤動作を招くといったことを阻止している。尚、この横隔壁７２には、脚部２３を通過させるための開口７４が上記脚部挿通開口１２ｃに対応した位置に形成されている。
【００４８】
−表示ユニット２のチルトアップ動作−
次に、上述の如く構成されたファクシミリ装置１における表示ユニット２のチルトアップ動作について説明する。
【００４９】
先ず、図１に示すように表示ユニット２が格納状態にある状態で、ＬＣＤパネル２１の視認性を高めるべく表示ユニット２をチルトアップさせる際、ユーザは表示ユニット２の後端縁を把持し、この後端縁を手前側に引くようにして表示ユニット２を回動させる。上記凹部１２の後端側の縦壁にはこのチルトアップ操作時にユーザが指を差し込むための差込部１２ｄが形成されており、ユーザはこの差込部１２ｄに指を差し込んで表示ユニット２の後端縁を把持する。このチルトアップ操作により、表示ユニット２は、上記アーム２２，２２に設けられている回動軸部材２２ｄ，２２ｄを回動中心に回動してチルトアップしてくる。このチルトアップ動作に伴い、表示ユニット２の背面２Ａに一体形成されている上記脚部２３は、上記各パッド８１，８２によって挟持され、これらパッド８１，８２に対して摺動しながら、脚部挿通開口１２ｃから次第に抜け出してくる。
【００５０】
また、上述した如く、上記ユニットケーシング２０の前端面２Ａ及び、この前端面２Ａに対向する凹部１２の縦壁１２ａは、共に、装置表面側（上側）に向かってキー操作部３側に向けて僅かに湾曲する湾曲面として形成されているため、このチルトアップ時には、表示ユニット２が凹部１２の縦壁１２ａに接触（干渉）することなく回動することになる（図６参照）。
【００５１】
その後、ユーザは任意のチルトアップ位置で操作を解除することにより所望のチルトアップ状態が得られる。このとき、脚部２３は各パッド８１，８２によって挟持されているため、このチルトアップ状態が安定的に維持される。特に、本実施形態の如く、縦型の表示ユニット２を採用した場合には、横型のものに比べて、回動軸と重心位置との距離が長くなるため重力による回転モーメントが大きく作用してしまう傾向があるが、上記パッド８１，８２を使用した維持機構（表示ユニット２の重心位置よりも外周側の回動軌跡上で脚部２３を挟持してチルトアップ状態を維持する構成）によってチルトアップ状態を安定的に維持できる。
【００５２】
また、上述したように、表示ユニット２の回動中心は、キー操作部３の下方であって且つキー操作部用制御回路基板６１の下方に設定されているために、上記チルトアップ動作に伴って、表示ユニット２の下端（前端面）がキー操作部３側に向けて前進してくる（せり出す）ことになる（図５及び図６参照）。つまり、表示ユニット２がキー操作部３に近付いてくることになるので、チルトアップ後に、ＬＣＤパネル２１を見ながらのキーの操作性が良好になる。
【００５３】
更に、本形態では、表示ユニット２の回動中心が、キー操作部用制御回路基板６１の配設位置よりもファクシミリ装置１の底部側に設定されている。このため、表示ユニット２の格納状態で、この表示ユニット２の前端面２Ａと上記凹部１２の前端側の縦壁１２ａとの間から異物や水が入り込んで、これが開口１２ｂを通って装置ケーシング１１の内部に入り込んだ場合であっても、キー操作部用制御回路基板６１上に落下してしまうことがなく、このキー操作部用制御回路基板６１への悪影響を回避することができる。
【００５４】
また、表示ユニット２のチルトアップ時におけるこの表示ユニット２のせり出し量を大きくしようとする場合には、上記アーム２２，２２の長さを長く設定することになり、また、このチルトアップ状態での表示ユニット２の下端と装置ケーシング１１の上面との間に隙間が生じないようにするためには、表示ユニット２の回動中心をファクシミリ装置１内の底部付近に設定することが必要になってくる。この場合、従来のように表示ユニットの回動中心が制御回路基板の配設位置よりも上方に位置していると、この制御回路基板も装置内の底部付近に配置することが必要になり、上記キートップと制御回路基板との距離が長くなってキー操作部の大型化やキー操作力の伝達不良を招く可能性がある。これに対し、本実施形態のように、表示ユニット２の回動中心をキー操作部用制御回路基板６１の配設位置よりもファクシミリ装置１の底部側に設定しておけば、上記回動中心位置が、キートップ３１とキー操作部用制御回路基板６１との距離に影響を与えることがない。このため、キー操作部３の小型化に伴ってファクシミリ装置１の薄型化を図ることが可能である。また、キートップ３１とキー操作部用制御回路基板６１との距離を短くすることができ、キー操作力の伝達を良好に行うことができて、動作の信頼性の向上を図ることもできる。
【００５５】
以上説明したように、本形態に係るファクシミリ装置１では、縦隔壁７１に屈曲部７３を形成し、プリント機構９と脚部収容空間Ａとが水平方向で隔離されるようにしている。このため、プリント機構９からインク飛沫が飛散した場合に、この飛沫が脚部収容空間Ａに入り込み脚部挿通開口１２ｃを経て装置外部に流れ出てしまうといったことを阻止でき、ファクシミリ装置１の周辺を汚してしまうといった不具合を解消できる。
【００５６】
−その他の実施形態−
以上説明した実施形態では、ファクシミリ装置１に本発明を適用した場合について説明した。本発明はこれに限らず、電話機やノート型パーソナルコンピュータ等といった各種の電子機器であって、チルトアップ自在な表示ユニットを備えたものに適用可能である。また、回動自在に支持されるユニットとしては、表示ユニットに限らず、各種の操作キーを備えた操作ユニットであってもよい。また、表示ユニットと操作ユニットとを兼用した回動ユニットに対して適用することも可能である。
【００５７】
また、上記実施形態では、表示ユニット２の前側にキー操作部３が配設されたファクシミリ装置１に本発明を適用した場合について説明した。本発明はこれに限らず、表示ユニット２の前側にキー操作部３が配設されていない電子機器に対しても適用可能である。つまり、アーム２２の回動軸部材２２ｄと装置ケーシング１１との間に配置される制御回路基板としては、キー操作部用以外のものを適用してもよい。
【００５８】
更に、表示ユニット２の回動中心位置としては、制御回路基板６１の下側に限るものではない。本実施形態において説明した構成とすれば、異物等が制御回路基板６１に落下することを避けることができる。そのため、異物等の制御回路基板６１の落下問題を解消するためには、この制御回路基板６１の板面を含む仮想平面よりも下側に表示ユニットの回動中心位置を設ければよい。また、装置ケーシング１１の上面としては、水平方向に延びる面で構成されているものに限らず、傾斜面で形成されている場合もある。
【図面の簡単な説明】
【００５９】
【図１】実施形態に係るファクシミリ装置であって、表示ユニットの格納状態を示す斜視図である。
【図２】実施形態に係るファクシミリ装置であって、表示ユニットの最大チルトアップ状態を示す斜視図である。
【図３】表示ユニットの格納状態における装置のユーザインタフェース部分の平面図である。
【図４】表示ユニットの格納状態における表示ユニット及びキー操作部を側方から見た断面図である。
【図５】表示ユニットの最大チルトアップ状態における装置のユーザインタフェース部分の平面図である。
【図６】表示ユニットの最大チルトアップ状態における表示ユニット及びキー操作部を側方から見た断面図である。
【図７】表示ユニットを示す図であって（ａ）は正面図、（ｂ）は側面図である。
【図８】脚部挿通開口部分において装置ケーシングを切断した斜視図である。
【図９】脚部挿通開口周辺を示す平面図である。
【図１０】装置内に配置された各隔壁を説明するための概略構成図である。
【符号の説明】
【００６０】
１        ファクシミリ装置（電子機器）
１１      装置ケーシング（機器ケーシング）
２        表示ユニット（回動ユニット）
２３      脚部（支持脚）
６２      表示ユニット用制御回路基板
７１      縦隔壁
７３      屈曲部
１２ｃ    脚部挿通開口
８        挟持機構（支持脚挟持機構）
９        プリント機構
Ａ        脚部収容空間
【図１】
2006110906.tif 000003
【図２】
2006110906.tif 000004
【図３】
2006110906.tif 000005
【図４】
2006110906.tif 000006
【図５】
2006110906.tif 000007
【図６】
2006110906.tif 000008
【図７】
2006110906.tif 000009
【図８】
2006110906.tif 000010
【図９】
2006110906.tif 000011
【図１０】
2006110906.tif 000012